(57)【特許請求の範囲】
【請求項１】
初期のＯＮ状態から押ボタンを押し込むと第１のＯＦＦ状態に移行する常閉接点型の押ボタンスイッチにおいて、
押ボタンと、これをスライド自在に支持する支持ブロックと、支持ブロック内に設けられ、押ボタンの動きに連動する操作プレートとから構成された操作部と、
前記操作部の前記支持ブロックの下部に着脱自在に取り付けられるコンタクト部とを備え、
前記コンタクト部内には、上下方向の弾性を有する折曲げ部分を備えかつ前記コンタクト部に固定された固定端子と、前記折曲げ部分の先端に配置された固定接点と、第１のばねにより前記固定接点の側に付勢されかつ第２のばねにより前記固定接点から離反する側に付勢された可動端子と、前記可動端子の先端に配置された可動接点とが設けられており、
前記操作部の前記コンタクト部への装着時には、前記固定接点および可動接点が互いに接触状態で配置されて初期のＯＮ状態を形成しており、
初期のＯＮ状態から前記押ボタンを押し込むと、前記操作プレートからの押付力が前記固定端子の前記折曲げ部分に作用することにより、前記固定接点が前記可動接点から離反して第１のＯＦＦ状態に移行するとともに、
前記操作部を前記コンタクト部から分離させた際には、前記可動接点が前記第２のばねの弾性反発力の作用により前記固定接点から離反して第２のＯＦＦ状態に移行するようになっている、
ことを特徴とする常閉接点型の押ボタンスイッチ。
【請求項２】
初期のＯＮ状態から押ボタン（２０）を押し込むと第１のＯＦＦ状態に移行する常閉接点型の押ボタンスイッチ（１）において、
押ボタン（２０）と、これをスライド自在に支持する支持ブロック（２１）と、支持ブロック（２１）内に設けられ、押ボタン（２０）により押し込まれる操作軸（２３）およびこれに連動する操作プレート（２４）とから構成される操作部（２）と、
操作部（２）の支持ブロック（２１）の下部に着脱自在に取り付けられるコンタクト部（３）とを備え、
コンタクト部（３）内には、上下方向の弾性を有する折曲げ部分(３１ａ)を備えかつコンタクト部（３）に固定された固定端子（３１）と、折曲げ部分(３１ａ)の先端に配置された固定接点（３２）と、第１のばね（４１）により固定接点（３２）の側に付勢されかつ第２のばね（３８）により固定接点（３２）から離反する側に付勢された可動端子（３９）と、可動端子（３９）の先端に配置された可動接点（４０）とが設けられており、
支持ブロック（２１）が、操作軸（２３）に形成された傾斜面（２３ｂ）と係合し得る傾斜面（２５ａ）を有しかつ操作軸（２３）の移動方向と交差する方向にスライド自在に設けられたロック部材（２５）と、傾斜面（２５ａ）が操作軸（２３）の傾斜面（２３ｂ）と係合する側にロック部材（２５）を付勢するばね（２６）とを有しており、
操作部（２）のコンタクト部（３）への装着時には、固定接点（３２）および可動接点（４０）が互いに接触状態で配置されて初期のＯＮ状態を形成しており、
初期のＯＮ状態から押ボタン（２０）を押し込むと、操作軸（２３）の傾斜面（２３ｂ）とロック部材（２５）の傾斜面（２５ａ）との係合状態が外れることにより、操作軸（２３）および操作プレート（２４）が押し下げられて、操作プレート（２４）からの押付力が固定端子（３１）の折曲げ部分(３１ａ)に作用することにより、固定接点（３２）が可動接点（４０）から離反して第１のＯＦＦ状態に移行するとともに、ロック部材（２５）が操作軸（２３）の段付面（２３ｄ）と係合することにより操作軸（２３）が保持され、
操作部（２）をコンタクト部（３）から分離した際には、可動接点（４０）を固定接点（３２）から離反させるように作用する第２のばね（３８）の付勢力により、可動接点（４０）が固定接点（３２）から離反して第２のＯＦＦ状態に移行するようになっている、
ことを特徴とする常閉接点型の押ボタンスイッチ。
【発明の詳細な説明】
【０００１】
【発明の属する技術分野】
本発明は、初期のＯＮ状態から押ボタンを押し込むとＯＦＦ状態に移行する常閉接点構成の押ボタンスイッチおよび非常停止スイッチに関する。
【０００２】
【従来の技術およびその課題】
たとえば工作機械等の制御盤には、異常発生時に機械を緊急停止させるための非常停止スイッチと呼ばれる押ボタンスイッチが一般に設けられている。この押ボタンスイッチの一例を図１０ないし図１２に示す。
【０００３】
図１０に示すように、この押ボタンスイッチ１００は、制御パネル１３０の表面側に配置される、押ボタン１１１を含む操作ブロック（操作部）１１０と、制御パネル１３０の裏面側に配置され、操作ブロック１１０に着脱自在に取り付けられるコンタクトブロック（コンタクト部）１２０とから構成されている。コンタクトブロック１２０内には、可動接点１２１および固定接点１２２が設けられており、各接点１２１，１２２は互いに接触してＯＮ状態になっている。
【０００４】
この状態から押ボタン１１１が押し込まれると、図１１に示すように、コンタクトブロック１２０内において可動接点１２１が固定接点１２２から離れ、接点がＯＦＦ状態になる。
【０００５】
ところで、このようなコンタクトブロック分離型の押ボタンスイッチは、一体型の押ボタンスイッチに比べて接点数を増やせる等の利点を有しているが、コンタクトブロック１２０が操作ブロック１１０から分離した状態でも各接点１２１，１２２がＯＮ状態のままにおかれている場合には（図１２参照）、機械の操作中において仮にコンタクトブロック１２０が操作ブロック１１０から外れてしまっていた場合に、押ボタン１１１を押しても接点がＯＮ状態を維持することになり、この結果、ボタンスイッチ１００が非常停止スイッチとして機能し得なくなるという問題がある。
【０００６】
本発明は、このような従来の実情に鑑みてなされたもので、コンタクトブロック（コンタクト部）が操作ブロック（操作部）から分離されたときに、コンタクトブロック内の接点を確実にＯＦＦ状態に移行させることができる常閉接点型の押ボタンスイッチを提供することを目的とする。
【０００７】
【課題を解決するための手段】
請求項１の発明に係る常閉接点型の押ボタンスイッチは、初期のＯＮ状態から押ボタンを押し込むと第１のＯＦＦ状態に移行する常閉接点型の押ボタンスイッチである。この押ボタンスイッチは、押ボタンと、これをスライド自在に支持する支持ブロックと、支持ブロック内に設けられ、押ボタンの動きに連動する操作プレートとから構成された操作部と、前記操作部の前記支持ブロックの下部に着脱自在に取り付けられるコンタクト部とを備えている。前記コンタクト部内には、上下方向の弾性を有する折曲げ部分を備えかつ前記コンタクト部に固定された固定端子と、前記折曲げ部分の先端に配置された固定接点と、第１のばねにより前記固定接点の側に付勢されかつ第２のばねにより前記固定接点から離反する側に付勢された可動端子と、前記可動端子の先端に配置された可動接点とが設けられている。前記操作部の前記コンタクト部への装着時には、前記固定接点および可動接点が互いに接触状態で配置されて初期のＯＮ状態を形成している。初期のＯＮ状態から前記押ボタンを押し込むと、前記操作プレートからの押付力が前記固定端子の前記折曲げ部分に作用することにより、前記固定接点が前記可動接点から離反して第１のＯＦＦ状態に移行し、前記操作部を前記コンタクト部から分離させた際には、前記可動接点が前記第２のばねの弾性反発力の作用により前記固定接点から離反して第２のＯＦＦ状態に移行するようになっている。
【０００８】
請求項２の発明に係る常閉接点型の押ボタンスイッチは、初期のＯＮ状態から押ボタン（２０）を押し込むと第１のＯＦＦ状態に移行する常閉接点型の押ボタンスイッチ（１）である。この押ボタンスイッチは、押ボタン（２０）と、これをスライド自在に支持する支持ブロック（２１）と、支持ブロック（２１）内に設けられ、押ボタン（２０）により押し込まれる操作軸（２３）およびこれに連動する操作プレート（２４）とから構成される操作部（２）と、操作部（２）の支持ブロック（２１）の下部に着脱自在に取り付けられるコンタクト部（３）とを備えている。コンタクト部（３）内には、上下方向の弾性を有する折曲げ部分(３１ａ)を備えかつコンタクト部（３）に固定された固定端子（３１）と、折曲げ部分(３１ａ)の先端に配置された固定接点（３２）と、第１のばね（４１）により固定接点（３２）の側に付勢されかつ第２のばね（３８）により固定接点（３２）から離反する側に付勢された可動端子（３９）と、可動端子（３９）の先端に配置された可動接点（４０）とが設けられている。支持ブロック（２１）が、操作軸（２３）に形成された傾斜面（２３ｂ）と係合し得る傾斜面（２５ａ）を有しかつ操作軸（２３）の移動方向と交差する方向にスライド自在に設けられたロック部材（２５）と、傾斜面（２５ａ）が操作軸（２３）の傾斜面（２３ｂ）と係合する側にロック部材（２５）を付勢するばね（２６）とを有している。操作部（２）のコンタクト部（３）への装着時には、固定接点（３２）および可動接点（４０）が互いに接触状態で配置されて初期のＯＮ状態を形成している。初期のＯＮ状態から押ボタン（２０）を押し込むと、操作軸（２３）の傾斜面（２３ｂ）とロック部材（２５）の傾斜面（２５ａ）との係合状態が外れることにより、操作軸（２３）および操作プレート（２４）が押し下げられて、操作プレート（２４）からの押付力が固定端子（３１）の折曲げ部分(３１ａ)に作用することにより、固定接点（３２）が可動接点（４０）から離反して第１のＯＦＦ状態に移行するとともに、ロック部材（２５）が操作軸（２３）の段付面（２３ｄ）と係合することにより操作軸（２３）が保持されており、操作部（２）をコンタクト部（３）から分離した際には、可動接点（４０）を固定接点（３２）から離反させるように作用する第２のばね（３８）の付勢力により、可動接点（４０）が固定接点（３２）から離反して第２のＯＦＦ状態に移行するようになっている。
【０００９】
請求項１の発明において、操作部がコンタクト部に装着された状態では、コンタクト部内の固定接点および可動接点が互いに接触した状態で配置され、押ボタンスイッチが初期のＯＮ状態におかれる。そして、この状態から押ボタンを押し込むと、操作軸の傾斜面とロック部材の傾斜面との係合状態が外れることにより、操作軸および操作プレートが押し下げられて、操作プレートからの押付力が固定端子の折曲げ部分に作用することにより、固定接点が可動接点から離反して第１のＯＦＦ状態に移行する。
【００１０】
次に、操作部をコンタクト部から分離させた場合には、前記可動接点が第２のばねの弾性反発力の作用により前記固定接点から離反して第２のＯＦＦ状態に移行する。これにより、コンタクト部内の接点を確実にＯＦＦ状態にすることができる。
【００１１】
請求項２の発明において、操作部がコンタクト部に装着された状態では、固定接点および可動接点が初期のＯＮ状態におかれている。また、このとき、操作部内の操作軸およびロック部材が各々の傾斜面を介して互いに係合している。
【００１２】
この状態から、押ボタンが軽く押された場合、操作軸にはロック部材が係合しているため、操作軸は押ボタンの動きに連動してすぐには移動しない。
【００１３】
次に、押ボタンが強く押された場合には、押ボタンと連動して移動しようとする操作軸の傾斜面からロック部材の傾斜面に作用する押圧力が大きくなり、この押圧力がある一定限度を超えると、ロック部材が操作軸の移動方向と交差する方向に移動して、操作軸の傾斜面とロック部材の傾斜面との係合が外れる。
【００１４】
すると、操作軸が、これと連動する操作プレートとともに押し下げられる。これにより、操作プレートからの押付力が固定端子の折曲げ部分に作用して、固定接点を可動接点から離反し、その結果、接点が確実に第１のＯＦＦ状態に移行する。
【００１５】
一方、第２のばねによる付勢力が、可動接点を固定接点から離反させる方向に作用しているので、コンタクト部を操作部から分離した場合には、この第２のばねの付勢力によって、可動接点が固定接点から離反する。これにより、コンタクト部内の接点を確実に第２のＯＦＦ状態に移行させることができる。
【００１６】
【発明の実施の形態】
＜第１の実施態様＞
以下、本発明の実施態様を添付図面に基づいて説明する。
図１は本発明の第１の実施態様による非常停止スイッチの縦断面概略構成図、図２は図１のII-II 線断面図、図３は非常停止スイッチの動作を説明するための図、図４は本実施態様の作用効果を説明するための図である。
【００１７】
図１および図２に示すように、非常停止スイッチ１は、操作ブロック（操作部）２と、これに着脱自在に取り付けられるコンタクトブロック（コンタクト部）３とから主として構成されている。
【００１８】
操作ブロック２は、非常停止ボタン２０と、これを支持する支持ブロック２１とを有している。支持ブロック２１内には、押し込まれた非常停止ボタン２０を元の位置に戻すための復帰ばね２２が設けられている。
【００１９】
また支持ブロック２１内には、操作軸２３が軸方向にスライド自在に設けられている。操作軸２３にはフランジ部２３ａが設けられている。
【００２０】
操作軸２３の下部側方には、操作プレート２４，２４が操作軸２３を挟んで対向配置されている。各操作プレート２４，２４の上端は、操作軸２３のフランジ部２３ａに当接している。
【００２１】
支持ブロック２１の下部には、ロック部材２５が設けられている。ロック部材２５に形成された傾斜面２５ａは、操作軸２３の下部に形成された傾斜面２３ｂと係合している。また、支持ブロック２１の下部には、ロック部材２５を操作軸２３側に突出させるようばね力を作用させるばね２６が設けられている。また、操作軸２３上において傾斜面２３ｂの上方には、傾斜面２３ｂと同様の傾斜面２３ｃが形成されている。
【００２２】
コンタクトブロック３の底部には、固定端子３１が固定されている。固定端子３１は略Ｕ字状に折り曲げられており、その折曲げ部分３１ａは、上下方向の弾性を有している。折曲げ部分３１ａの先端には、接点３２が設けられている。
【００２３】
またコンタクトブロック３内には、操作軸２３と連動する可動接点ユニット３０が設けられている。可動接点ユニット３０は、操作プレート２４の先端２４ａに当接する当接部３３を有している。当接部３３は、コンタクトブロック３の底部から上方に延びる支軸部３４により上下方向にスライド自在に支持されている。また、当接部３３には、コンタクトブロック３の底部に配置されたばね３５によるばね力が上方に作用している。
【００２４】
当接部３３内には、接点ホルダ３６が配置されている。この接点ホルダ３６の上端にはばね３７によるばね力が下方に作用し、下端にはばね（付勢部材）３８によるばね力が上方に作用している。接点ホルダ３６の略中央部には、該接点ホルダ３６を軸方向と直交する方向に貫通する窓孔３６ａが形成されている。
【００２５】
窓孔３６ａ内には、可動端子３９が挿入されている。可動端子３９の先端には接点４０が設けられ、該接点４０は固定端子３１の接点３２に接触しており、各接点３２，４０はＯＮ状態におかれている。また窓孔３６ａ内において、可動端子３９にはばね４１によるばね力が下方に作用しており、これにより、各接点３２，４０の接触時に接触圧が得られるようになっている。
【００２６】
また当接部３３の下部３３ａは、固定端子３１の折曲げ部分３１ａに上方から当接し得るようになっている。この下部３３ａは、非常停止ボタン２０の操作時に固定端子３１の接点３２を可動端子３９の接点４０から離反させる離反部として作用する。
【００２７】
このように構成される非常停止スイッチ１においては、コンタクトブロック３を操作ブロック２に装着した状態では、上述したように、操作プレート２４の先端２４ａがコンタクトブロック３内の当接部３３に当接しており、これにより、当接部３３とともに接点ホルダ３６が下方に若干量移動して、接点ホルダ３６の下端３６ｂがコンタクトブロック３の底部に当接している（図１および図２参照）。
【００２８】
この状態から、非常停止ボタン２０が軽く押された場合には、復帰ばね２２によるばね力が操作軸２３に対して下方に作用するが、操作軸２３下部の傾斜面２３ｂにロック部材２５が係合しているため、操作軸２３は非常停止ボタン２０の動きに連動してすぐには移動しない。
【００２９】
次に、非常停止ボタン２０が強く押されて、非常停止ボタン２０の下端部２０ａが操作軸２３のフランジ部２３ａに当接し、操作軸２３の傾斜面２３ｂからロック部材２５の傾斜面２５ａに作用する押圧力がある一定限度を超えた場合には、ロック部材２５が操作軸２３から離れる方向に移動し、操作軸２３の傾斜面２３ｂとロック部材２５の傾斜面２５ａとの係合が外れる。
【００３０】
その結果、図３に示すように、操作軸２３および操作プレート２４が下方に移動し、操作プレート２４の先端２４ａに当接する当接部３３が同様に下方に移動する。すると、当接部３３の下部３３ａが固定端子３１の折曲げ部分３１ａを下方に押し下げ、これにより、固定端子３１の接点３２が可動端子３９の接点４０から離反する。このようにして、各接点３２，４０がＯＦＦ状態にされる。
【００３１】
一方、操作軸２３が下方に移動したことにより、ロック部材２５は、操作軸２３の下部において傾斜面２３ｂの上方に形成された傾斜面２３ｃと係合するとともに、操作軸２３下部の段付面２３ｄと係合する。これにより、操作軸２３が下方に移動した状態が保持される。なお、段付面２３ｄは、操作軸２３の全周に形成されているのではなく、操作軸２３の円周上の一部に形成されている。
【００３２】
次に、図３に示される非常停止状態を解除するには、まず、操作者が非常停止ボタン２０を中心軸回りに所定角度だけ回転させる。すると、非常停止ボタン２０とともに操作軸２３も回転して、操作軸２３の段付面２３ｄとロック部材２５との係合が外れる。その結果、ばね３５，３７の反発力により、当接部３３および操作プレート２４を介して、操作軸２３が上方に移動して元の位置に戻る（図１参照）。
【００３３】
次に、コンタクトブロック３が操作ブロック２から分離した場合には、図４に示すように、ばね３８の反発力により、接点ホルダ３６が上方に移動して、接点ホルダ３６の下端３６ｂがコンタクトブロック３の底部から離れる。このとき、接点ホルダ３６とともに可動端子３９も上方に移動するため、可動端子３９の接点４０が固定端子３１の接点３２から離れ、各接点３２，４０がＯＦＦ状態にされる。
【００３４】
このように可動端子３９には、固定端子３１から離反する方向に付勢するばね３８のばね力が接点ホルダ３６を介して常時作用しているので、コンタクトブロック３を操作ブロック２から分離した場合には、このばね力により、接点４０を接点３２から分離させることができる。これにより、コンタクトブロック３内の各接点３２，４０を確実にＯＦＦ状態に移行させることができる。
【００３５】
＜第２の実施態様＞
次に、本発明の第２の実施態様を図５ないし図９を用いて説明する。
図５は本発明の第２の実施態様による非常停止スイッチの縦断面概略構成図、図６は非常停止スイッチの動作を説明するための図、図７は本実施態様の作用効果を説明するための図、図８および図９は非常停止スイッチ内の固定端子の拡大図である。図５，図６，図７は前記第１の実施態様の図１，図３，図４にそれぞれ対応している。なお、各図中、前記第１の実施態様と同一符号は同一または相当部分を示している。
【００３６】
この第２の実施態様においては、固定端子の構造のみが前記第１の実施態様と異なっているので、ここでは、固定端子の部分についてのみ説明し、その他の部分についての詳細な説明は省略する。
【００３７】
図５ないし図９中、コンタクトブロック３の底部側に配置された固定端子５０は、底部３ａに固定された固定金具５２と、固定金具５２に回動自在に支持された可動金具５３とから主として構成されている。
【００３８】
固定金具５２の一端には、図８に示すように、上方に延びる立板部５２ａが設けられており、立板部５２ａの下端に可動金具５３の一端部５３ａが係合している。この構成により、可動金具５３は、立板部５２ａの下端を支点として上下方向回動自在になっている（図９参照）。
【００３９】
立板部５２ａには、可動金具５３の上方への回動を規制するための規制板部５２ｂが設けられている。なお、図５ないし図７では、図示の便宜上、この規制板部５２ｂを省略したものが示されている。
【００４０】
また、立板部５２ａおよび可動金具５３間にはばね５４が配設されている。ばね５４の一端は、立板部５２ａに係止され、他端は可動金具５３の略中央部に係止されている。このばね５４のばね力により、可動金具５３は常時上方に回動する方向に付勢されている。可動金具５３の先端には、接点５１が設けられている。
【００４１】
このように構成される非常停止スイッチ１においては、コンタクトブロック３を操作ブロック２に装着した状態では、前記第１の実施態様の場合と同様に、操作プレート２４の先端２４ａがコンタクトブロック３内の当接部３３に当接しており、接点ホルダ３６の下端３６ｂがコンタクトブロック３の底部３ａに当接している（図５参照）。
【００４２】
この状態から、非常停止ボタン２０が強く押されて、非常停止ボタン２０の下端部２０ａが操作軸２３のフランジ部２３ａに当接し、操作軸２３の傾斜面２３ｂからロック部材２５の傾斜面２５ａに作用する押圧力がある一定限度を超えた場合には、操作軸２３の傾斜面２３ｂとロック部材２５の傾斜面２５ａとの係合が外れて、ロック部材２５が操作軸２３から離れる方向に移動する。
【００４３】
その結果、図６に示すように、操作軸２３および操作プレート２４が下方に移動し、操作プレート２４の先端２４ａに当接する当接部３３が同様に下方に移動する。すると、当接部３３の下部３３ａが固定端子５０の可動金具５３を下方に回動させ（図９参照）、これにより、固定端子５０の接点５１が可動端子３９の接点４０から離反する。このようにして、各接点４０，５１がＯＦＦ状態にされる。
【００４４】
次に、コンタクトブロック３が操作ブロック２から分離した場合には、図７に示すように、ばね３８の反発力により、接点ホルダ３６が上方に移動して、接点ホルダ３６の下端３６ｂがコンタクトブロック３の底部３ａから離れる。このとき、接点ホルダ３６とともに可動端子３９も上方に移動するため、可動端子３９の接点４０が固定端子５０の接点５１から離れ、各接点３２，５１がＯＦＦ状態にされる。
【００４５】
このように本実施態様においても、可動端子３９には、固定端子５０から離反する方向に付勢するばね３８のばね力が接点ホルダ３６を介して常時作用しているので、コンタクトブロック３を操作ブロック２から分離した場合には、このばね力により、接点４０を接点５１から分離させることができる。これにより、コンタクトブロック３内の各接点３２，５１を確実にＯＦＦ状態に移行させることができる。
【００４６】
また、前記第１の実施態様では、固定端子３１が帯鋼を略Ｕ字状に折り曲げることにより構成されており、帯鋼の材質、板厚等のばらつきによっては固定端子３１の折曲げ部分３１ａにおける屈曲度のばらつきが大きくなり、固定端子３１の品質および性能を所望の範囲内におさめるのが容易ではない。これに対して、本実施態様では、固定端子５０全体のばね性がコイルばね５４により左右されるため、固定端子５０の品質および性能を所望の範囲内におさめるのが比較的容易である。
【００４７】
なお、前記第１，第２の実施態様では、非常停止スイッチを例にとって説明したが、本発明の適用はこれに限定されるものではなく、本発明は、一般の押ボタンスイッチにも同様に適用できる。この場合には、ロック部材２５を省略した構成とすることも可能である。
【００４８】
【発明の効果】
以上のように本発明に係る押ボタンスイッチによれば、操作部がコンタクト部から分離されたときにコンタクト部内の接点を確実にＯＦＦ状態に移行させることができる常閉接点型の押ボタンスイッチを実現できる。
【図面の簡単な説明】
【図１】本発明の第１の実施態様による非常停止スイッチの縦断面概略構成図。
【図２】図１のII-II 線断面図。
【図３】非常停止スイッチ（図１）の動作を説明するための図。
【図４】本発明の第１の実施態様の作用効果を説明するための図。
【図５】本発明の第２の実施態様による非常停止スイッチの縦断面概略構成図。
【図６】非常停止スイッチ（図５）の動作を説明するための図。
【図７】本発明の第２の実施態様の作用効果を説明するための図。
【図８】非常停止スイッチ（図５）における固定端子の拡大図。
【図９】固定端子（図８）の動作を説明するための図。
【図１０】従来の非常停止スイッチを説明するための図。
【図１１】従来の非常停止スイッチを説明するための図。
【図１２】従来の非常停止スイッチを説明するための図。
【符号の説明】
１          非常停止スイッチ
２          操作ブロック（操作部）
２０        非常停止ボタン
２３        操作軸
２３ｂ      傾斜面
２５        ロック部材
２５ａ      傾斜面
３          コンタクトブロック（コンタクト部）
３０        可動接点ユニット
３１，５０  固定端子
３２，５１  接点
３３        当接部
３３ａ      下部（離反部）
３８        ばね（付勢部材）
３９        可動端子
４０        接点
【図１】
0003668367.tif 000002
【図２】
0003668367.tif 000003
【図３】
0003668367.tif 000004
【図４】
0003668367.tif 000005
【図５】
0003668367.tif 000006
【図６】
0003668367.tif 000007
【図７】
0003668367.tif 000008
【図８】
0003668367.tif 000009
【図９】
0003668367.tif 000010
【図１０】
0003668367.tif 000011
【図１１】
0003668367.tif 000012
【図１２】
0003668367.tif 000013